(57)【要約】  密閉されたカプセルの中に含まれる物質を分配して、容器の中に含まれる他の物質の内容物と混合させることができる分配締め具組立体であって、ａ）少なくとも１つのプランジャ（１３ｂ）を備えて配置された締め具キャップ（１３ａ）で構成される作動部材（１２）と、ｂ）物質を中に含む少なくとも１つの保管部材（１４）と、ｃ）作動部材（１２）を受ける空隙（１７ａ）を有する分配チャンバ（１６）、および解放手段（１８）を備え保管部材（１４）を収容することを目的とした少なくとも１つの収容チャンバ（１７ｂ）とを含むことを特徴とする分配締め具組立体。【選択図】図１
2012526714.tif 000002
【特許請求の範囲】
【請求項１】
密閉されたカプセルの中に含まれる物質を分配して容器に含まれる他の物質の内容物と混合させることができる容器のための分配締め具組立体であって、
ａ）少なくとも１つのプランジャ（１３ｂ）を備えて配置された締め具キャップ（１３ａ）で構成される作動部材（１２）と、
ｂ）物質を中に含む少なくとも１つの保管部材（１４）と、
ｃ）前記作動部材（１２）を受ける空隙（１７ａ）を有する分配チャンバ（１６）、および解放手段（１８）を備え前記保管部材（１４）を収容することを目的とした少なくとも１つの収容チャンバ（１７ｂ）とを含み、
前記作動部材（１２）が、前記少なくとも１つのプランジャ（１３ｂ）が少なくとも１つの収容チャンバ（１７ｂ）と整列することができる所定の位置に回転されるように適合されており、前記少なくとも１つの保管部材（１４）を前記解放手段（１８）に対して推し進めるように押すことができることによって前記保管部材（１４）に含まれる物質を前記容器に放出させ、
分配チャンバ（１６）が前記容器の出入り口開口としっかりと係合することができることを特徴とする分配締め具組立体。
【請求項２】
前記作動部材（１２）が回転式であるが、前記分配チャンバ（１６）から他の場所に移すことはできない、請求項１に記載の分配締め具組立体。
【請求項３】
前記少なくとも１つのプランジャ（１３ｂ）が、前記締め具キャップ（１３ａ）の中心軸から離れて下方に突出する部材である、請求項１に記載の分配締め具組立体。
【請求項４】
前記少なくとも１つのプランジャ（１３ｂ）が前記締め具キャップ（１３ａ）の屋根の下面に構築される、請求項１に記載の分配締め具組立体。
【請求項５】
前記少なくとも１つのプランジャ（１３ｂ）が代替として延長部材（１３ｄ）によって前記締め具キャップ（１３ａ）の内壁の側面に接続される、請求項１に記載の分配締め具組立体。
【請求項６】
前記少なくとも１つのプランジャ（１３ｂ）が代替として、その底端部に作動部材（１１ｂ）が配置された細長い部材（１１ａ）である、請求項１に記載の分配締め具組立体。
【請求項７】
前記細長い部材（１１ａ）が、前記締め具キャップ（１３ａ）の中心軸から所定の距離のところで下方に延在している、請求項６に記載の分配締め具組立体。
【請求項８】
前記細長い部材（１１ａ）が前記締め具キャップ（１３ａ）の屋根の下面に構築される、請求項６に記載の分配締め具組立体。
【請求項９】
前記細長い部材（１１ａ）が代替として前記延長部材（１３ｄ）によって前記締め具キャップ（１３ａ）の内壁の側部に接続される、請求項６に記載の分配締め具組立体。
【請求項１０】
前記作動部材（１２）が少なくとも１つの彫り込まれたスロット（１３ｃ）を含んでおり、このスロットが前記空隙（１７ａ）の内側の側壁に配置された少なくとも１つの突出部材（１９）と連通する、請求項１に記載の分配締め具組立体。
【請求項１１】
前記作動部材（１２）が代替として少なくとも１つの反発手段（５５）を含んでおり、この反発手段が、前記締め具キャップ（１３ａ）の内側周辺部の側壁の遠位端から半径方向に下向きに延在する、請求項１に記載の分配締め具組立体。
【請求項１２】
前記物質が流動物質またはタブレットまたはカプセルである、請求項１に記載の分配締め具組立体。
【請求項１３】
前記物質が風味付け剤、着色剤、活性化酸素、健康補助剤、ビタミン、ハーブ、薬剤、栄養剤やミネラル、プロバイオティックス、植物性薬剤または微生物である、請求項１に記載の分配締め具組立体。
【請求項１４】
少なくとも１つの保管部材（１４）がガラス瓶である、請求項１に記載の分配締め具組立体。
【請求項１５】
前記ガラス瓶が、その開放端部で密閉された封止層（１５）を備える円筒形のカプセルである、請求項１４に記載の分配締め具組立体。
【請求項１６】
前記ガラス瓶が様々な所定の容積測定サイズであってよい、請求項１４に記載の分配締め具組立体。
【請求項１７】
前記封止層（１５）が破れやすい膜である、請求項１４に記載の分配締め具組立体。
【請求項１８】
前記ガラス瓶が、前記円筒形のカプセルの外面に沿って配置された少なくとも１つの突出する環状リブ（１４ａ）を備える、請求項１４に記載の分配締め具組立体。
【請求項１９】
少なくとも１つの突出する環状リブ（１４ａ）が、前記ガラス瓶を所定の位置に保持するために前記収容チャンバ（１７ｂ）の内面に配置された所定の溝（１７ｃ）と摺動式に係合可能である、請求項１８に記載の分配締め具組立体。
【請求項２０】
前記ガラス瓶がその外面に封止リング（２０）を備えることで、前記容器から液体の内容物またはその凝縮液が前記分配チャンバ（１６）の前記空隙（１７ａ）に侵入するのを阻止する、請求項１４に記載の分配締め具組立体。
【請求項２１】
前記封止リング（２０）が気密または水密の封止材である、請求項２０に記載の分配締め具組立体。
【請求項２２】
少なくとも１つの保管部材（１４）が可撓性パウチである、請求項１に記載の分配締め具組立体。
【請求項２３】
前記可撓性パウチが可撓性の膜である、請求項２２に記載の分配締め具組立体。
【請求項２４】
少なくとも１つの収容チャンバ（１７ｂ）が代替として、その内壁面に沿って配置されたフィン（１７ｄ）を備えることで前記容器から液体の内容物またはその凝縮液が前記分配チャンバ（１６）の前記空隙（１７ａ）に侵入するのを阻止する、請求項１に記載の分配締め具組立体。
【請求項２５】
前記フィン（１７ｄ）が、可撓性パウチが非作動状態において前記収容チャンバ（１７ｂ）の下部に滑り落ちるのを阻止する保持手段としても機能する、請求項２４に記載の分配締め具組立体。
【請求項２６】
前記解放手段（１８）が突出する先端（１８ａ）である、請求項１に記載の分配締め具組立体。
【請求項２７】
前記解放手段（１８）がさらに、その下部において外向きに延出する半径方向の突起（１８ｂ）を含んでおり、前記少なくとも１つの保管部材（１４）から前記物質を前記容器に放出することができる経路を画定する、請求項１に記載の分配締め具組立体。
【請求項２８】
前記解放手段（１８）が、その末端頂部に鋭利な縁部（２９）を形成する傾斜面の切り取り部分（２７）を備えた中空の導管（２５）である、請求項１に記載の分配締め具組立体。
【請求項２９】
前記中空の導管（２５）が、前記ガラス瓶の内側の断面の長さよりわずかに小さい所定の外側の断面の長さを有する、請求項２８に記載の分配締め具組立体。
【請求項３０】
前記中空の導管（２５）によって、前記封止層（１５）または可撓性の膜が裂けたりまたは決められた時間になると保管部材（１４）から前記物質を前記容器に放出することができる、請求項２８に記載の分配締め具組立体。
【請求項３１】
前記分配チャンバ（１６）が、前記容器の様々な出入り口開口とねじ式の取り付けおよび／またはスナップ嵌合式に拡張可能である、請求項１に記載の分配締め具組立体。
【請求項３２】
前記分配チャンバ（１６）がさらに、その外側スカート（２１）の底部にすぐに壊れるように接続されたいたずら防止リング（２２）を備える、請求項１に記載の分配締め具組立体。
【請求項３３】
前記いたずら防止リング（２２）が、前記容器の前記出入り口開口に取り外し可能に係合される、請求項３２に記載の分配締め具組立体。
【請求項３４】
分配締め具組立体から容器に物質を分配する方法であって、
ａ）作動部材（１２）を回転させて少なくとも１つのプランジャ（１３ｂ）を少なくとも収容チャンバ（１７ｂ）と整列させるステップと、
ｂ）前記作動部材（１２）に力を加えて前記少なくとも１つの保管部材（１４）に対して推し進めるステップと、
ｃ）前記少なくとも１つの保管部材（１４）を解放するステップとを含む方法。
【発明の詳細な説明】
【技術分野】
【０００１】
本発明は分配締め具に関し、より詳細には少なくとも１つの物質を分配して容器内の他の物質と混合させることができる容器のための分配締め具に関する
【背景技術】
【０００２】
物質を容器から分離して保管しこの物質を容器の内容物と選択的に混合することを目的としたカプセルを含む容器の締め具の概念は、従来技術において知られている。健康的なライフスタイルを向上させる目的で一般的な食品と併せて頻繁に利用される物質の例としては、プロテイン粉末、活力剤混合物、栄養補助食品または他の栄養上の製品などがある。しかしながら食物、飲料、栄養補助食品、栄養補給食品、薬剤、化粧品および化学薬品は、液体、粉体、ペーストまたは他の形態で供給されることが多く、それらが溶液または懸濁液のいずれかの中で混合された後その安定性、強度および効果は長時間維持されない。したがって混合した後にこのような不適合が生じることにより、変質、変色、相互作用などを防ぐために混合した後比較的すぐにこの製品を利用する必要がある。また、所望される結果が確実に得られるように、測定された量の１つの成分が測定された量の１つまたは複数の成分に確実に添加されるような状況下で様々な成分の混合が行なわれることが重要である。
【０００３】
別の考慮すべき問題は、特定の製品の売買に関するものである。いくつかの製品は、その性質により短期間の間にそれらの製品から特定の望ましい特性が失われるため、それが製造され混合された後すぐに消費者によって利用される必要がある。１つの成分が他の成分から分離されて維持される場合および使用する直前に単に２つの成分が一緒に混合されて所望の製品を形成する場合には、まだ製品を長期間にわたって保管することが可能である。このような商品を市場に出す際には、別個の容器に入った対を成す２つ以上の成分として消費者に供給されるのではなく、２つの成分が同一容器の一部として販売されることが望ましいことは明白である。したがって審美的見地ならびに取扱い上の見地から、まさに１つの容器を利用してこのように成分を分離させた状態で維持することが望ましい。
【０００４】
水、ジュース、栄養飲料、または人が摂取するのに望ましい他の液体を搬送するためにプラスチックボトルなどの従来の液体容器が利用されることは既知である。しかしながら例えば活性化酸素、ビタミン、ミネラル、ハーブ、栄養素、あるいは水、ジュースまたは消費者にさらなる利点を与える、具体的には消費者の健康に有益な利点を与える他の飲料などのこれらの望ましい液体に添加するのが望ましい風味付け剤など複数の非活性および活性物質が存在する。しかしながらこれらの物質の多くは別の液体の中に混合されるとさらなる利点を提供するが、有効期間が短く、液体または他の物質と一緒にされるとすぐに変色、相互作用または変質しやすい。したがって多くの望ましい液体は現在、有益な成分を加えない状態で販売されている。
【０００５】
このような結果を得るために採用される１つの方法は、２つのカプセルを有する容器を利用することであり、この方法では２つの成分をそれらを混合させたいと望むまで別々に保管することができ、混合させたい時にはカプセル同士を連通させることで分離された成分が一方のカプセルから他方のカプセルに移動することができる。当分野では可溶性物質を定量の溶質（通常は水である）に溶かした濃縮液を中に含むディスペンサを設けることが知られている。したがって従来技術は、容器の内部が基本成分を有するカプセルと、容器の中で基本成分と何らかの形態の改質剤、希釈剤または風味付け剤を混合するために破裂させることができるカプセルとに分かれている飲料用の容器を教示している。この従来技術の容器に関する理由は、混合を前もって行うと弊害をもたらすことになるため、摂取する時に混合動作を行なうことである。基本成分はそれ自体では摂取するのに適さない場合が多く、消費する前に希釈剤／改質剤と混合する必要がある。
【０００６】
米国特許第７，０１７，７３５ Ｂ２号にはリング部材を含む容器と共に利用するキャップが開示されている。カプセルは容器の締め具リングの凹部のほぼ中央にある開口の中に延在している。カプセルの内壁にプランジャが設けられている。カプセルは、例えば水に拡散する液体など特定の物質を中に含んでいる。容器はメインチャンバと、飲料を保管して供給する出入り口を有する。メインチャンバは単一強度の飲料で満たされており、カプセルは水に拡散する液体で満たされている。カプセルは、メインチャンバに隣接する容器の出入り口に配置され、カプセルは、カプセルを手によって操作するのに応じて水に拡散する液体をメインチャンバ内の単一強度の飲料に注入するように作動することができる。
【０００７】
ＷＯ／２００５／０８１７３２には、キャップによって締められる液体を含む本体と、風味付け剤、着色剤、防腐剤、ビタミンまたは薬剤などの成分を含むカプセルとを含むインスタント飲料ボトルが開示されている。キャップとカプセルが協働することでユーザがキャップを操作する際にカプセルに開口が形成され、これにより原料が液体の中に放出される。
【０００８】
ＷＯ／２００６／１１５５０６には混合キャップおよびその利用方法が開示されており、混合キャップは好ましくは消費者が利用し易いように、製造する際に選択された乾燥したまたは液体の原料が事前に詰め込まれている。混合キャップは、ボトルの出入り口までの穴が開けられた内部の管と、この内部の管と協同するように係合されフランジ構成を介してこの管にわたって摺動できるように制限された外側筐体とを有する。外側筐体を内側の管にわたって押し下げるだけで外側筐体の中に含まれる事前に詰め込まれた成分をボトルの中に投入または放出させることができ、この成分は内側の管の穴を通ってボトルの液体内容物に流れ込むことができる。ボトルの中で一緒になった成分と液体はその後漏れたりこぼれる懸念や可能性もなく振ることができる。
【０００９】
ＷＯ／２００６／０５２８２７には、取り外し可能ないたずら防止の保護キャップと、いたずら防止リングを有し、容器に対してねじこみ式の筐体を備えたディスペンサが開示されている。この容器はメインパッケージであり補足的な要素を保持する。筐体は、完全に収縮した位置にあるプランジャ式チャンバに第１の要素を保持しており、捕捉要素から密閉されている。チャンバは使用前に閉鎖される送達端部を有する。いっぱいまで押し込まれるとチャンバの送達端部が開放し、第１の要素をメインパッケージへと送達する。
【００１０】
生物活性抽出物を含むびん詰めされた飲料には微生物の成長を防ぐために通常防腐剤が加えられることが知られている。しかしながら防腐剤の添加することは不健康な印象を与えることになる。それ故本発明の分配締め具を利用することによって防腐剤の利用を避けることが可能になる。
【００１１】
また生物活性抽出物は水または液体の中で分解し易いことも知られている。本発明の新規の分配締め具を利用することによって、この製品の有効期間が延長される。
【先行技術文献】
【特許文献】
【００１２】
【特許文献１】米国特許第７，０１７，７３５Ｂ２号
【特許文献２】ＷＯ／２００５／０８１７３２
【特許文献３】ＷＯ／２００６／１１５５０６
【特許文献４】ＷＯ／２００６／０５２８２７
【発明の概要】
【発明が解決しようとする課題】
【００１３】
本発明によって簡便に利用することができる新規の分配締め具が提供され、これにより摂取する前にプレミックスを簡単に行なうことができる。したがって異なる原料を、飲み物に混合する前に別々の保管部材またはガラス瓶の中で維持することが可能である。これによりその場でのプレミックスが可能になり、飲料の鮮度が維持される。
【００１４】
さらに新規の分配締め具を利用することにより飲料のロジスティックスが向上し、水の輸送を回避することができる。したがって輸送の際に原料を分配締め具の中に維持することができ、水または液体は局所的に供給することが可能である。
【００１５】
さらに本発明により、消費者が手を使って操作する際高度に衛生的な方式で容易に使用され簡便に作動させることができる新規の分配締め具が提供される。本発明は最小限の部品を使用しており、これによりそれを製造し組み立てるのが簡単になる。
【課題を解決するための手段】
【００１６】
本発明は、密閉されたカプセルの中に含まれる物質を分配して容器内に含まれる他の物質の内容物と混合させることができる容器のための分配締め具組立体に関する。該分配締め具組立体は、ａ）少なくとも１つのプランジャを備えて配置された締め具キャップで構成される作動部材と、ｂ）物質を中に含む少なくとも１つの保管部材と、ｃ）作動部材を受ける空隙を有する分配チャンバ、および解放手段を備え保管部材を収容することを目的とした少なくとも１つの収容チャンバとを含む。
【００１７】
したがって作動部材は、少なくとも１つのプランジャが少なくとも１つの収容チャンバと整列することができる所定の位置に回転されるように適合されており、少なくとも１つの保管部材を解放手段に対して推し進めるように押すことができることによって保管部材の中に含まれる物質を容器に放出させ、分配チャンバは容器の出入り口開口としっかりと係合することができる。
【００１８】
したがって作動部材は回転式であるが、分配チャンバから他の場所に移すことはできない。作動部材は少なくとも１つの彫り込まれたスロットを含んでおり、これは空隙の内側の側壁に配置された少なくとも１つの突出部材と連通する。作動部材は代替として少なくとも１つの反発手段を含んでおり、これは締め具キャップの内側周辺部の側壁の遠位端から半径方向に下向きに延在している。
【００１９】
したがって少なくとも１つのプランジャは、締め具キャップの中心軸から離れて下方に突出する部材である。好ましくは少なくとも１つのプランジャは締め具キャップの屋根の下面に構築される、または代替として延長部材によって締め具キャップの内壁の側面に接続される。該少なくとも１つのプランジャは代替としてその底端部に作動部材が配置された細長い部材である。
【００２０】
したがってこの細長い部材は、締め具キャップの中心軸から所定の距離のところで下方に延在している。この細長い部材は締め具キャップの屋根の下面に構築される、または代替として延長部材によって締め具キャップの内壁の側部に接続される。
【００２１】
したがって物質は、流動可能物質またはタブレットまたはカプセルであってよい。物質はまた風味付け剤、着色剤、活性化酸素、健康補助剤、ビタミン、ハーブ、薬剤、栄養剤またはミネラル、プロバイオティックス、植物性薬剤あるいは微生物であってよい。
【００２２】
したがって少なくとも１つの保管部材はガラス瓶である。このガラス瓶は、その開放端部で密閉された封止層を備える円筒形のカプセルであってよい。好ましくは該ガラス瓶は様々な所定の容積測定サイズであってよい。よって封止層は破れやすい膜である。
【００２３】
したがってガラス瓶は、円筒形のカプセルの外面に沿って配置された少なくとも１つの突出する環状リブを備えている。該少なくとも１つの突出環状リブは、ガラス瓶を所定の位置に保持するために収容チャンバの内面に配置された所定の溝と摺動式に係合することができる。ガラス瓶はまたその外面に封止リングを備えることで、容器から液体の内容物またはその凝縮液が分配チャンバの空隙に侵入するのを阻止する。好ましくは封止リングは気密または水密の封止材である。
【００２４】
したがって少なくとも１つの保管部材は可撓性のパウチである場合があり、この場合可撓性パウチは可撓性の膜であるよい。
【００２５】
したがって少なくとも１つの収容チャンバは代替として、その内壁面に沿って配置されたフィンを備えることで容器から液体の内容物またはその凝縮液が分配チャンバの空隙に侵入するのを阻止する。このフィンは可撓性パウチが非作動状態にあるとき、収容チャンバの下部に滑り落ちるのを阻止する保持手段としても機能する。
【００２６】
したがって解放手段は突出する先端である。解放手段はさらにその下部において外向きに延出する半径方向の突起を含んでおり、少なくとも１つの保管部材から物質を容器に放出することができる経路を画定する。
【００２７】
したがって解放手段は、その末端頂部に鋭利な縁部を形成する傾斜面の切り取り部分を備えた中空の導管である。この中空の導管は、ガラス瓶の内側断面の長さよりわずかに小さい所定の外側断面の長さを有する。この中空の導管によって、封止層または可撓性の膜が裂けるまたは決められた時間になると保管部材から物質を容器に放出することができる。
【００２８】
したがって分配チャンバは容器の様々な出入り口開口とねじ式の取り付けおよび／またはスナップ嵌合式に拡張可能である。分配チャンバはさらに、その外側スカートの底部にすぐに壊れるように接続されたいたずら防止リングを備える。
【００２９】
したがってこのいたずら防止リングは、容器の出入り口開口に取り外し可能に係合される。
【００３０】
本発明によると、分配締め具組立体から物質を容器に分配する方法は、ａ）作動部材を回転させて少なくとも１つのプランジャを少なくとも１つの保管部材と整列させるステップと、ｂ）作動部材に力を加えて少なくとも１つの保管部材に対して推し進めるステップと、ｃ）少なくとも１つの保管部材を解放するステップとを含む。
【００３１】
図面はこの明細書の一部を構成しており、本発明の一例であるまたは好ましい実施形態を含んでおり、この実施形態は様々な形態で具現化することができる。しかしながら開示される好ましい実施形態は本発明の単なる例であることを理解されたい。よって本明細書に開示される図面（縮尺通りではない）を限定として解釈すべきではなく、これは単に特許請求の範囲の根拠であって本発明の当業者に教示することを目的としている。
【図面の簡単な説明】
【００３２】
【図１】本発明の１様式によって構築された分配締め具の分解組み立て後のばらばらの状態の斜視図である。
【図２ａ】図１の分解組み立て後のばらばらの状態の側面図である。
【図２ｂ】図２ａの中が透けて見える側面図である。
【図３ａ】好ましい実施形態の分配締め具の上面図である。
【図３ｂ】キャップの下部と係合する分配締め具の上部を示す側部の部分断面図である。
【図３ｃ】作動部材が回転されガラス瓶と整列された状態を示す組み立て後の分配締め具の側部断面図である。
【図３ｄ】作動部材が分配チャンバへと押し込まれ、ガラス瓶の封止層が分断された状態を示す組み立て後の分配締め具の側部断面図である。
【図４】本発明の別の様式による反発手段を備えて構築された複数のカプセルの分配締め具の分解組み立て後のばらばらの状態の斜視図である。
【図５ａ】図４の分解組み立て後のばらばらの状態の側面図である。
【図５ｂ】図５ａの中が透けて見える側面図である。
【図６】別の好ましい実施形態の複数のカプセルの分配締め具の頂部の補助的な断面図である。
【図７】組み立て後の複数のカプセルの分配締め具の中が透けて見える側面図である。
【図８】本発明の別の様式による反発手段なしで構築された複数のカプセルの分配締め具の分解組み立て後のばらばらの状態の斜視図である。
【図９ａ】図８の分解組み立て後のばらばらの状態の側面図である。
【図９ｂ】図９ａの中が透けて見える側面図である。
【図１０】図８に示される実施形態の複数のカプセルの分配締め具の頂部の補助的な断面図である。
【図１１】組み立て後の複数のカプセルの分配締め具の中が透けて見える側面図である。
【図１２ａ】作動部材に配置されたプランジャの１つの可能な様式を示す分配締め具の側部の部分断面図である。
【図１２ｂ】作動部材に配置されたプランジャの１つの可能な様式を示す分配締め具の側部の部分断面図である。
【図１３ａ】作動部材に配置されたプランジャの１つの可能な様式を示す分配締め具の側部の部分断面図である。
【図１３ｂ】作動部材に配置されたプランジャの１つの可能な様式を示す分配締め具の側部の部分断面図である。
【図１４ａ】いたずら防止リングを備えた分配チャンバを示す分配締め具の側部の部分断面図である。
【図１４ａ】いたずら防止リングを備えた分配チャンバを示す、図１４ａの分配締め具の側面図である。
【図１５】封止リングを備えたガラス瓶の拡大斜視図である。
【図１６ａ】その内壁面に沿ってフィンが配置された収容チャンバを示す分配締め具の側部断面図である。
【図１６ｂ】図１６ａの収容チャンバの側部の拡大断面図である。
【図１７】ガラス瓶が解放手段に対して推し進められる位置を示す収容チャンバの拡大断面斜視図である。
【発明を実施するための形態】
【００３３】
本発明の好ましい実施形態の詳細な説明がここに開示されている。しかしながらこれらの実施形態は本発明の単なる例示であって、多様な形式で具現化することができることを理解すべきである。したがって本明細書に開示される詳細は限定として解釈すべきではなく、これは単に特許請求の範囲の根拠であって本発明の当業者に教示することを目的としている。図面の数字は異なる実施形態において同一に記載される特徴的な機能を指しており、これらの機能は構成が変化することもある。
【００３４】
図１−図３ｄを参照すると、本発明の１様式による分配締め具組立体（１０）が開示されている。分配締め具組立体（１０）は作動部材（１２ａ）と、保管部材（１４）と、分配チャンバ（１６）とを総括して備える。
【００３５】
分配締め具組立体（１０）は、例えば瓶詰めされた水、スポーツドリンクまたはその他の瓶詰めされた流動物質などいずれのタイプの容器（図示せず）とも使用することができる。該分配締め具組立体（１０）は、摂取するその時点で消費者によって摂取され得る流動物質、タブレット、またはこれに限定するものではないが液体、粉体、ペースト、結晶またはタブレットを含めたカプセルと混合される液体を有する容器と共に使用するのに特に適している。分配締め具組立体（１０）は容器の様々な出入り口開口と共に使用できるように適合されており、この場合例えばそれぞれ異なるねじ山またはスナップ嵌合構成を利用することができる。
【００３６】
作動部材（１２ａ）は一般に締め具キャップ（１３ａ）を含んでおり、このキャップはその屋根の下部に少なくとも１つのプランジャ（１３ｂ）が配置されている。よってプランジャ（１３ｂ）は下方に突出する部材であり、締め具キャップ（１３ａ）の中心軸から所定の距離のところに配置されている。好ましくは該プランジャ（１３ｂ）は締め具キャップ（１３ａ）の屋根の下面に構築される（図１２ａ）。あるいはプランジャ（１３ｂ）は、延長部材（１３ｄ）によって締め具キャップ（１３ａ）の内壁の側面に接続することもできる（図１２ｂ）。
【００３７】
プランジャ（１３ｂ）を、その底端部に作動部材（１１ｂ）が配置された細長い部材（１１ａ）で置き換えることもできる（図１３ａ）。該細長い部材（１１ａ）は、締め具キャップ（１３ａ）の中心軸から所定の距離のところで下方に延在している。よってこの細長い部材（１１ａ）は、締め具キャップ（１３ａ）の屋根の下面に構築される。あるいは細長い部材（１１ａ）は、延長部材（１３ｄ）によって締め具キャップ（１３ａ）の内壁の側面に接続することもできる（図１３ｂ）。作動部材（１１ｂ）は、細長い部材（１１ａ）の底端部に構築されたいかなる幾何学的形状のプレート形態でもよい。プランジャ（１３ｂ）または細長い部材（１１ａ）は、中実のまたは中空タイプの本体であり得ることを理解されたい。
【００３８】
締め具キャップ（１３ａ）の外周の側壁は彫り込みスロット（１３ｃ）を備える。彫り込みスロット（１３ｃ）は、空隙（１７ａ）の内側側壁の事前に定義された１つまたは複数の位置に配置された突出部材（１９）と連通している。したがって該彫り込みスロット（１３ｃ）によって、作動部材（１２ａ）が突出部材（１９）とスナップ嵌合し空隙（１７ａ）に嵌まるように係合することができる。彫り込みスロット（１３ｃ）によって作動部材（１２ａ）を所望の位置に回転させ下方に押すことができる。具体的には彫り込みスロット（１３ｃ）と突出部材（１９）が係合することにより、作動部材（１２ａ）のプランジャ（１３ｂ）が所定の位置に回転され収容チャンバ（１７ｂ）と整列され、保管部材（１４）と接触することが可能になる。
【００３９】
保管部材（１４）は、収容チャンバ内（１７ｂ）に収容することができる。該保管部材（１４）は、これに限定するものではないがガラス瓶または可撓性パウチであってよい。好ましい実施形態によるとガラス瓶は、その開放端部で密閉された封止層（１５）と、このガラス瓶の外面に沿って配置された外向きに突出する環状リブ（１４ａ）とを備える円筒系のカプセルである。（図１５および図１７）。突出する環状リブ（１４ａ）は、ガラス瓶を所定の位置に保持するために収容チャンバ（１７ｂ）の内面に配置された所定の溝（１７ｃ）に摺動式に係合することができる。ガラス瓶はさらにその外面に封止リング（２０）が配置されることで、容器から液体の内容物またはその凝縮液が分配チャンバ（１６）の空隙（１７ａ）に侵入するのを阻止する。好ましくは封止リング（２０）は、気密または水密の封止材である。
【００４０】
ガラス瓶は、例えば流動物質またはタブレット、または液体、粉体、ペースト、結晶またはタブレット形態のカプセルなどの物質を中に含むことができる。該物質はこれに限定するものではないが任意選択で、風味付け剤、着色剤、活性化酸素、健康補助剤、ビタミン、ハーブ、薬剤、栄養剤やミネラル、プロバイオティックス、植物性薬剤または微生物を含むことができる。好ましくはガラス瓶は、様々な量の物質に備えて種々の所定の容積測定サイズであってよい。ガラス瓶は、封止層（１５）によって密閉される開放底端部を有することを理解されたい。封止層（１５）は好ましくは、これに限定するものではないが、例えばガラス瓶の底端部で閉鎖されるホイルが積層された封止剤などの壊れやすい膜でできている。
【００４１】
所望であればガラス瓶を可撓性パウチ（図示せず）によって置き換えることも可能であり、この可撓性パウチは物質を中に収容するために可撓性の膜を備える。この可撓性の膜が裂けたるまたは決められた時間になると中の物質が容器に放出される。
【００４２】
分配チャンバ（１６）には作動部材（１２ａ）を受けるための空隙（１７ａ）がある。作動部材（１２ａ）は回転式であるが、分配チャンバ（１６）から他の場所に移すことはできないことに留意されたい。空隙（１７ａ）の内部の側壁は、所定の位置に突出部材（１９）を備えることで作動部材（１２ａ）の彫り込みスロット（１３ｃ）と連通する。したがって該作動部材（１２ａ）は空隙（１７ａ）にスナップ嵌合し、上記に言及したように突出部材（１９）と連通するように適合されている。分配チャンバ（１６）はさらに収容チャンバ（１７ｂ）を備えており、これは空隙（１７ａ）の底部（２４）から延出して保管部材（１４）、すなわちガラス瓶または可撓性パウチを収容する。該収容チャンバ（１７ｂ）は好ましくは上部ガイド部分を有することで、保管部材（１４）を所定の位置で収容チャンバ（１７ｂ）に挿入するように誘導する。収容チャンバ（１７ｂ）は代替としてその内部壁面に沿って配置されたフィン（１７ｄ）を備えることもできる（図１６ａ−図１６ｂ）。該フィン（１７ｄ）によって容器から液体内容物またはその凝縮液が分配チャンバ（１６）の空隙（１７ａ）に侵入するのが阻止される。フィン（１７ｄ）はまた、保管部材（１４）が静止位置にあるときそれが収容チャンバ（１７ｂ）の下部に滑り落ちるのを阻止する保持手段として機能することもできることを理解されたい。収容チャンバ（１７ｂ）はさらに、その下部に配置された解放手段（１８）を含む。
【００４３】
解放手段（１８）は上方に突出する鋭利な先端（１８ａ）がその末端であり、その下部に外向きに延びる半径方向の複数の突起（１８ｂ）を有することで、封止層が裂けたりまたは決められた時間になると、あるいは可撓性パウチが保管部材（１４）として使用される場合は可撓性の膜が裂けたりまたは決められた時間になると保管部材（１４）から物質を容器に放出することができる経路を形成する。解放手段（１８）は、これに限定するものではないが中空の導管（２５）であり、傾斜面の切り取り部分（２７）を有することでその末端頂部に鋭利な縁部（２９）を形成することができることに留意されたい。（図１７）。
【００４４】
限定ではなく例として、中空の導管（２５）は、ガラス瓶（ガラス瓶が保管部材（１４）として使用される場合）の内側の断面の長さよりわずかに小さい所定の断面の長さを有することに留意されたい。該中空の導管（２５）によって、封止層（１５）が裂けるまたは決められた時間になるとガラス瓶から物質を放出させることができる。ガラス瓶が可撓性パウチで置き換えられる場合、中空の導管（２５）によって、可撓性の膜が裂けるまたは決められた時間になると可撓性パウチからこの導管を通って物質を放出させることができる。
【００４５】
分配チャンバ（１６）はさらに外側スカート（２１）を含んでおり、この外側スカートにはその内面から延出する容器と係合する部材（２１ａ）がある（図１４ａ）。該容器と係合する部材（２１ａ）は任意選択で内側にねじ山を備えている。この内側のねじ山は容器の出入り口開口としっかりと係合できるように適合されている。分配チャンバ（１６）はまた種々の容器の出入り口開口と係合するように適合されており、例えば突き出だしたスナップ嵌合式のリブまたはスナップ嵌合式の係合（図示せず）を利用することができることを理解されたい。いたずら防止リング（２２）を備えることができ、これは分配チャンバ（１６）の外側スカート（２１）の底部にすぐに壊れるように接続されることを理解されたい（図１４ａ−図１４ｂ）。該いたずら防止リング（２２）は、容器の出入り口開口に取り外し可能に係合される。
【００４６】
使用する際、分配締め具組立体（１０）は回して押す動作によって作動される。分配締め具組立体（１０）はまず、消費者が作動部材（１２ａ）を回転させてプランジャ（１３ｂ）を収容チャンバ（１７ｂ）と整列する位置に設置することによって操作される。具体的には、作動部材（１２ａ）のプランジャ（１３ｂ）が収容チャンバ（１７ｂ）と整列する位置に回転される。プランジャ（１３ｂ）は、収容チャンバ（１７ｂ）の上部開口に嵌まるように係合可能な構造であることを理解されたい。したがって作動部材（１２ａ）が推し進められる際、プランジャ（１３ｂ）の一部を分配チャンバ（１６）の収容チャンバ（１７ｂ）に挿入することができる。
【００４７】
作動部材（１２ａ）に対して力を加えて、保管部材（１４）すなわちガラス瓶に対して推し進める。よって作動部材（１２ａ）のプランジャ（１３ｂ）が押されてガラス瓶に接触し、このガラス瓶を解放手段（１８）に向けて下方に推し進めて封止層（１５）を開封する。この解放手段（１８）によって、封止層（１５）が裂けるまたは決められた時間になるとガラス瓶の中にある物質がそこから中空の導管（２５）を通って容器に流れ込むことができる。
【００４８】
ガラス瓶を可撓性パウチで置き換えた場合、作動部材（１２ａ）に対して力を加えて可撓性パウチに対して推し進める。よって作動部材（１２ａ）が押されて可撓性パウチに接触し、可撓性パウチを解放手段（１８）に向けて下方に推し進める。この解放手段（１８）によって、可撓性の膜が裂けるまたは決められた時間になると可撓性パウチの中の物質がそこから中空の導管（２５）を通って容器に流れ込むことができる。
【００４９】
次に図４−図７を参照すると、本発明の別の様式により反発手段（５５）を有するように構成された複数のカプセルの分配締め具組立体（５０）が示されている。複数のカプセルの分配締め具組立体（５０）は、作動部材（１２ｂ）と、複数の保管部材（１４）と、複数の収容チャンバ（１７ｂ）を備えた分配チャンバ（１６）を総括して備える。
【００５０】
作動部材（１２ｂ）は締め具キャップ（１３ａ）を含んでおり、このキャップの屋根の下部に少なくとも１つのプランジャ（１３ｂ）が配置されている。同様に、少なくとも１つのプランジャ（１３ｂ）は下方に突出する部材であり、これは締め具キャップ（１３ａ）の中心軸から所定の距離のところに配置されている。該少なくとも１つのプランジャ（１３ｂ）は好ましくは締め具キャップ（１３ａ）の屋根の下面に構築される（図１２ａ）。あるいは少なくとも１つのプランジャ（１３ｂ）は、図１２ｂに示されるものと同様に延長部材（１３ｄ）によって締め具キャップ（１３ａ）の内壁の側面に接続することもできる。
【００５１】
少なくとも１つのプランジャ（１３ｂ）は、その底端部に作動部材（１１ｂ）が配置された少なくとも１つの細長い部材（１１ａ）で置き換えることもできる（図１３ｂ）。該少なくとも１つの細長い部材（１１ａ）は、締め具キャップ（１３ａ）の中心軸から所定の距離のところで下方に延びている。よってこの少なくとも１つの細長い部材（１１ａ）は締め具キャップ（１３ａ）の屋根の下面に構築される。あるいは少なくとも１つの細長い部材（１１ａ）は、図１３ｂに示されるものと同様に延長部材（１３ｄ）によって締め具キャップ（１３ａ）の内壁の側面に接続することもできる。作動部材（１１ｂ）は、細長い部材（１１ａ）の底端部に構築されたいかなる幾何学的形状のプレートの形態でもよい。少なくとも１つのプランジャ（１３ｂ）または少なくとも１つの細長い部材（１１ａ）は、中実のまたは中空タイプの本体であり得ることを理解されたい。
【００５２】
締め具キャップ（１３ａ）の外周の側壁は彫り込みスロット（１３ｃ）を備える。彫り込みスロット（１３ｃ）は、空隙（１７ａ）の内壁の事前に定義された位置に配置された突出部材（１９）と連通している。したがって該彫り込みスロット（１３ｃ）によって、作動部材（１２ｂ）が突出部材（１９）とスナップ嵌合し空隙（１７ａ）に嵌まるように係合することができる。彫り込みスロット（１３ｃ）によって作動部材（１２ｂ）を時計回りまたは反時計回りのいずれかで所望の位置に回転させ下方に押すことができる。具体的には彫り込みスロット（１３ｃ）と突出部材（１９）が係合することにより、作動部材（１２ｂ）のプランジャ（１３ｂ）が所定の位置に回転され収容チャンバ（１７ｂ）と整列され、保管部材（１４）と接触することが可能になる。
【００５３】
締め具キャップ（１３ａ）は、好ましくはその内周の側壁に配置された複数の反発手段（５５）を備えることに留意されたい。具体的にはこの反発手段（５５）は、締め具キャップ（１３ａ）の内周の側壁の遠位端から半径方向に下向きに延在している。作動部材（１２ｂ）が押された後に解放される際、反発手段（５５）によって作動部材（１２ｂ）が跳ね返って最初の位置に戻ることができる。したがって作動部材（１２ｂ）の少なくとも１つのプランジャ（１３ｂ）が１つまたは複数の収容チャンバ（１７ｂ）と整列する所定に位置に回転する際、作動部材（１２ｂ）が下方に押し進んで１つまたは複数の保管部材（１４）を解放手段（１８）に向けて推し進める。反発手段（５５）は、作動部材（１２ｂ）を最初の位置に跳ね返すばねとして作用して、消費者が他の収容チャンバ（１７ｂ）と整列する別の位置に作動部材（１２ｂ）を回転させる準備をする。
【００５４】
本発明の第１の様式と同様に、保管部材（１４）は収容チャンバ（１７ｂ）に完全にまたは部分的に収容される。該保管部材（１４）は、これに限定するものではないがガラス瓶または可撓性パウチであってよい。好ましい実施形態によるとガラス瓶は各収容チャンバ（１７ｂ）内に収容される。この場合、選択的に容器に分配するために様々な物質をそれぞれ別のガラス瓶の中に含むことができる。ガラス瓶および中の内容物は、この記載において以前に触れた説明の通りである。所望であればガラス瓶を、物質を収容するために可撓性の膜を備えた可撓性パウチ（図示せず）と置き換えることもできる。可撓性パウチの中の物質は、可撓性の膜が裂かれたときに容器に放出される。
【００５５】
複数のカプセルの分配締め具組立体（５０）の分配チャンバ（１６）はまた、作動部材（１２ｂ）を受けるための空隙（１７ａ）を有する。したがって作動部材（１２ｂ）は空隙（１７ａ）にしっかりと嵌合するように適合される。作動部材（１２ｂ）は回転式であるが、分配チャンバ（１６）から他の場所に移すことはできないことに留意されたい。分配チャンバ（１６）はさらに複数の収容チャンバ（１７ｂ）を備えており、これらは空隙（１７ａ）の底部（２４）から延出して保管部材（１４）すなわちガラス瓶または可撓性パウチのいずれかに含まれる種々の物質を収容する。該複数の収容チャンバ（１７ｂ）は、上部ガイド部分を有することで保管部材（１４）を所定の位置で収容チャンバ（１７ｂ）に挿入するように誘導する。複数の収容チャンバ（１７ｂ）は代替としてその内部の壁面に沿って配置されたフィン（１７ｄ）を備えることもできる（図１６ａ−図１６ｂ）。該フィン（１７ｄ）によって容器から液体内容物またはその凝縮液が分配チャンバ（１６）の空隙（１７ａ）に侵入するのが阻止される。フィン（１７ｄ）はまた、保管部材（１４）が静止位置にあるとき、それが収容チャンバ（１７ｂ）の下部に滑り落ちるのを阻止する保持手段として機能することもできることを理解されたい。各々の収容チャンバ（１７ｂ）はさらにその下部に配置された解放手段（１８）を含む。
【００５６】
複数のカプセルの分配締め具組立体（５０）の分配チャンバ（１６）はまた、外側スカート（２１）を含んでおり、この外側スカートはその内面から延出する容器と係合する部材（２１ａ）を有する（図１４ａ）。該容器と係合する部材は任意選択で内側にねじ山を備える。この内側のねじ山は容器の出入り口開口としっかりと係合できるように適合されている。分配チャンバ（１６）はまた種々の容器の出入り口開口と係合するように適合されており、例えば突き出だしたスナップ嵌合式のリブまたはスナップ嵌合式の係合を利用することができることを理解されたい。同様に、分配チャンバ（１６）の外側スカート（２１）の底部にすぐに壊れるように接続されたいたずら防止リング（２２）を備えることができる（図１４ａ−図１４ｂ）。よって該いたずら防止リング（２２）は容器の出入り口開口に取り外し可能に係合される。
【００５７】
図８−図１１は、複数のカプセルの分配締め具組立体（６０）の別の変形形態を示している。この複数のカプセルの分配締め具組立体（６０）の変形形態は上記に言及した複数のカプセルの分配締め具組立体（５０）と同様であるが、反発手段（５５）は備えていない。この複数のカプセルの分配締め具組立体（６０）の変形形態によって消費者は作動部材（１２ｃ）を時計回りまたは反時計回りのいずれかに回転させて、１つまたは複数の選択されたガラス瓶または可撓性パウチと整列するように少なくとも１つのプランジャ（１３ｂ）の位置を設定することができる。作動部材（１２ｃ）はこのとき下方に押されて１つまたは複数のガラス瓶または可撓性パウチを解放手段（１８）に向かって推し進める。この複数のカプセルの分配締め具組立体（６０）は、１回の回転と押す動作のみを目的として形成されている。
【００５８】
複数のカプセルの分配締め具組立体（５０、６０）はまた、瓶詰めされた水、スポーツドリンクまたは他の瓶詰めされた流動物質などいずれのタイプの容器とも使用することが可能であることを理解されたい。該分配締め具組立体（５０、６０）は、摂取するその時点で消費者によって摂取され得る流動物質、タブレット、またはこれに限定するものではないが液体、粉体、ペースト、結晶またはタブレットを含めたカプセルと混合される液体を有する容器と共に使用するのに特に適している。分配締め具組立体（５０、６０）は様々な容器の出入り口開口と共に使用できるように適合されており、この場合例えばそれぞれ異なるねじ山またはスナップ嵌合構成を利用することができる。
【００５９】
一般に複数のカプセルの分配締め具組立体（５０、６０）は、回して押す動作によって作動される。複数のカプセルの分配締め具組立体はまず、消費者が作動部材（１２ｂ、１２ｃ）を回転させて少なくとも１つのプランジャ（１３ｂ）を１つまたは複数の選択されたガラス瓶または可撓性パウチと整列する位置に設置することによって操作される。具体的には作動部材（１２ｂ、１２ｃ）のプランジャ（１３ｂ）が１つまたは複数の選択された収容チャンバ（１７ｂ）と整列する位置に回転される。プランジャ（１３ｂ）は、収容チャンバ（１７ｂ）の上部開口に嵌まるように係合可能な構造であることを理解されたい。したがって作動部材（１２ｂ、１２ｃ）が推し進められる際、プランジャ（１３ｂ）の一部を分配チャンバ（１６）の収容チャンバ（１７ｂ）に挿入することができる。
【００６０】
作動部材（１２ｂ、１２ｃ）に対して力を加えてガラス瓶に対して推し進める。よって作動部材（１２ｂ、１２ｃ）のプランジャ（１３ｂ）が押されて１つまたは複数の選択されたガラス瓶と接触し、この選択されたガラス瓶を解放手段（１８）に向けて下方に推し進めて封止層（１５）を開封する。解放手段（１８）によって、封止層（１５）が裂けるまたは決められた時間になると選択されたガラス瓶の中にある物質がそこから中空の導管（２５）を通って容器に流れ込むことができる。
【００６１】
ガラス瓶を可撓性パウチで置き換えた場合、作動部材（１２ｂ、１２ｃ）に対して力を加えて可撓性パウチに対して推し進める。よって作動部材（１２ｂ、１２ｃ）が押されて可撓性パウチと接触し、可撓性パウチを解放手段（１８）に向けて下方に推し進める。解放手段（１８）によって、可撓性の膜が裂けるまたは決められた時間になると可撓性パウチ中にある物質がそこから中空の導管（２５）を通って容器に中に流れ込むことができる。
【００６２】
反発手段（５５）を備えた複数のカプセルの分配締め具組立体（５０）の場合、作動部材（１２ｂ）が押されて解放される際、この反発手段（５５）によって作動部材（１２ｂ）が跳ね返って最初の位置に戻ることができる。したがって作動部材（１２）の少なくとも１つのプランジャ（１３ｂ）が１つまたは複数の収容チャンバ（１７ｂ）と整列する所定に位置に回転する際、作動部材（１２ｂ）が下方に押し進んで、１つまたは複数のガラス瓶または可撓性パウチを解放手段（１８）に向けて推し進める。反発手段（５５）は、作動部材（１２）を最初の位置に跳ね返すばねとして作用しており、消費者が他の収容チャンバ（１７ｂ）と整列する別の位置に作動部材（１２）を回転させる準備をする。
【００６３】
反発手段（５５）を持たない複数のカプセルの分配締め具組立体（６０）の場合、これにより作動部材（１２ｃ）が時計回りまたは反時計回りのいずれかに回転され、少なくとも１つのプランジャ（１３ｂ）を１つまたは複数の選択されたガラス瓶または可撓性パウチと整列する位置に設置することができ、作動部材（１２ｃ）に対して下向きの力を加えて１つまたは複数のガラス瓶または可撓性パウチを解放手段（１８）に向かって推し進め中の物質を容器に放出する。複数のカプセルの分配締め具組立体（６０）によって１回の回転と押す動作のみが可能になる。
【００６４】
本発明の実施形態を例示し記載してきたが、これらの実施形態が本発明の全ての可能な形態を例示し記載することは意図されていない。むしろ明細書で使用される単語は、限定というよりも説明するための単語であって、本発明の範囲から逸脱せずに種々の変更を行なうことが可能である。
【符号の説明】
【００６５】
１０            分配締め具組立体
１１ａ  細長い部材
１１ｂ  作動部材
１２ａ  作動部材
１３ａ  締め具キャップ
１３ｂ  プランジャ
１３ｃ  スロット
１３ｄ  延長部材
１４  保管部材
１５  封止層
１６  分配チャンバ
１７ａ  空隙
１７ｂ  収容チャンバ
１７ｃ  溝
１７ｄ  フィン
１８  解放手段
１８ａ  先端
１８ｂ  突起
１９  突出部材
２０  封止リング
２１  外側スカート
２１ａ  容器と係合する部材
２２  いたずら防止リング
２４  空隙の底部
２５  中空の導管
２７  切り取り部分
２９  縁部
５９、６０  複数のカプセルの分配締め具組立体
【図１】
2012526714.tif 000003
【図２ａ】
2012526714.tif 000004
【図２ｂ】
2012526714.tif 000005
【図３ａ】
2012526714.tif 000006
【図３ｂ】
2012526714.tif 000007
【図３ｃ】
2012526714.tif 000008
【図３ｄ】
2012526714.tif 000009
【図４】
2012526714.tif 000010
【図５ａ】
2012526714.tif 000011
【図５ｂ】
2012526714.tif 000012
【図６】
2012526714.tif 000013
【図７】
2012526714.tif 000014
【図８】
2012526714.tif 000015
【図９ａ】
2012526714.tif 000016
【図９ｂ】
2012526714.tif 000017
【図１０】
2012526714.tif 000018
【図１１】
2012526714.tif 000019
【図１２ａ】
2012526714.tif 000020
【図１２ｂ】
2012526714.tif 000021
【図１３ａ】
2012526714.tif 000022
【図１３ｂ】
2012526714.tif 000023
【図１４ａ】
2012526714.tif 000024
【図１４ｂ】
2012526714.tif 000025
【図１５】
2012526714.tif 000026
【図１６ａ】
2012526714.tif 000027
【図１６ｂ】
2012526714.tif 000028
【図１７】
2012526714.tif 000029
【国際調査報告】
2012526714.tif 000030
2012526714.tif 000031